(57)【特許請求の範囲】
【請求項１】
無線通信システム（ＲＣＳ１、ＲＣＳ２）のための方法（ＭＥＴ１、ＭＥＴ２、ＭＥＴ３）であって、
前記無線通信システム（ＲＣＳ１、ＲＣＳ２）は、
前記アップリンク無線周波数信号（ＲＦＳ、ＲＦＳ１、ＲＦＳ２）のマルチポイント受信のための協調的クラスタ（ＣＣ）の少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）と、
前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの第１アンテナ・システムに割り当てられた第１スレーブ・ユニット（ＳＵ、ＲＲＨ−ＳＵ、ＢＳ−ＳＵ１、ＢＳ−ＳＵ２、ＢＳ−ＳＵ）と、
前記第１スレーブ・ユニット（ＳＵ、ＲＲＨ−ＳＵ、ＢＳ−ＳＵ１、ＢＳ−ＳＵ２、ＢＳ−ＳＵ）を制御するマスタ・ユニット（ＭＵ、ＢＳ−ＭＵ、ＲＮＣ−ＭＵ）と、
を含み、
前記方法（ＭＥＴ１、ＭＥＴ２、ＭＥＴ３）は、
前記アップリンク無線周波数信号（ＲＦＳ、ＲＦＳ１、ＲＦＳ２）を前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムが受信するステップ（Ｍ１／１０）と、
前記第１スレーブ・ユニット（ＳＵ、ＲＲＨ−ＳＵ、ＢＳ−ＳＵ１、ＢＳ−ＳＵ２、ＢＳ−ＳＵ）が、前記受信されたアップリンク無線周波数信号（ＲＦＳ、ＲＦＳ１、ＲＦＳ２）の特性パラメータが事前定義の受信信号品質を満足するかどうかを検証するステップ（Ｍ１／１３）と、
前記第１スレーブ・ユニット（ＳＵ、ＲＲＨ−ＳＵ、ＢＳ−ＳＵ１、ＢＳ−ＳＵ２、ＢＳ−ＳＵ）が、前記事前定義の受信信号品質の満足に応じて、前記マスタ・ユニット（ＭＵ、ＢＳ−ＭＵ、ＲＮＣ−ＭＵ）への前記受信されたアップリンク無線周波数信号（ＲＦＳ、ＲＦＳ１、ＲＦＳ２）の転送を制御するステップ（Ｍ１／１４）と、
を含み、
前記特性パラメータは、前記受信されたアップリンク無線周波数信号（ＲＦＳ）のサービス・タイプであり、
前記サービス・タイプには、遅延クラスが割り当てられ、
前記事前定義の受信信号品質は、前記第１スレーブ・ユニット（ＳＵ、ＲＲＨ−ＳＵ、ＢＳ−ＳＵ１、ＢＳ−ＳＵ２、ＢＳ−ＳＵ）に対する事前定義の遅延クラスであり、移動局（ＭＳ）から前記第１スレーブ・ユニット（ＳＵ、ＲＲＨ−ＳＵ、ＢＳ−ＳＵ１、ＢＳ−ＳＵ２、ＢＳ−ＳＵ）を介する前記マスタ・ユニット（ＭＵ、ＢＳ−ＭＵ、ＲＮＣ−ＭＵ）への前記アップリンク無線周波数信号（ＲＦＳ）の伝送時間遅れに対する遅延クラスであることを特徴とする、方法（ＭＥＴ１、ＭＥＴ２、ＭＥＴ３）。
【請求項２】
前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムが能動アンテナ・アレイである場合に、前記検証するステップは、前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムのアンテナ要素ごとに別々に実行され、あるいは、前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムが受動アンテナ・アレイである場合に、前記検証するステップは、前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムだけについて１回実行される、請求項１に記載の方法（ＭＥＴ１、ＭＥＴ２、ＭＥＴ３）。
【請求項３】
前記事前定義の遅延クラスは、
移動局（ＭＳ）から前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムへの無線リンク上の前記アップリンク無線周波数信号（ＲＦＳ、ＲＦＳ１、ＲＦＳ２）のトランスポート・フォーマットと、
前記第１スレーブ・ユニット（ＳＵ、ＲＲＨ−ＳＵ、ＢＳ−ＳＵ１、ＢＳ−ＳＵ２、ＢＳ−ＳＵ）から前記マスタ・ユニット（ＭＵ、ＢＳ−ＭＵ、ＲＮＣ−ＭＵ）への接続上の未使用の伝送リソースと、
前記アップリンク無線周波数信号に関する前記第１スレーブ・ユニット（ＳＵ、ＲＲＨ−ＳＵ、ＢＳ−ＳＵ１、ＢＳ−ＳＵ２、ＢＳ−ＳＵ）から前記マスタ・ユニット（ＭＵ、ＢＳ−ＭＵ、ＲＮＣ−ＭＵ）への前記接続上の必要な伝送リソースと、
前記第１スレーブ・ユニット（ＳＵ、ＲＲＨ−ＳＵ、ＢＳ−ＳＵ１、ＢＳ−ＳＵ２、ＢＳ−ＳＵ）で実行されるチャネル推定アルゴリズムの品質と、
前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの前記第１アンテナ・システムのカバレージ・エリア内で前記アップリンク無線周波数信号（ＲＦＳ、ＲＦＳ１、ＲＦＳ２）を送信する移動局（ＲＡＮ１−ＭＳ）の位置と、
前記アップリンク無線周波数信号（ＲＦＳ、ＲＦＳ１、ＲＦＳ２）を送信する前記移動局（ＲＡＮ１−ＭＳ）の速度と、
のうちの少なくとも１つに依存する、請求項１または２に記載の方法（ＭＥＴ１、ＭＥＴ２、ＭＥＴ３）。
【請求項４】
前記方法（ＭＥＴ１、ＭＥＴ２）は、
前記マスタ・ユニット（ＭＵ、ＢＳ−ＭＵ、ＲＮＣ−ＭＵ）が、前記第１スレーブ・ユニット（ＳＵ、ＲＲＨ−ＳＵ、ＢＳ−ＳＵ１、ＢＳ−ＳＵ２、ＢＳ−ＳＵ）に対する前記事前定義の遅延クラスであり、移動局（ＭＳ）から前記第１スレーブ・ユニット（ＳＵ、ＲＲＨ−ＳＵ、ＢＳ−ＳＵ１、ＢＳ−ＳＵ２、ＢＳ−ＳＵ）を介する前記マスタ・ユニット（ＭＵ、ＢＳ−ＭＵ、ＲＮＣ−ＭＵ）への前記アップリンク無線周波数信号（ＲＦＳ）の伝送時間遅れに対する遅延クラスを決定するステップ（Ｍ１／１、Ｍ２／５）と、
前記マスタ・ユニット（ＭＵ、ＢＳ−ＭＵ、ＲＮＣ−ＭＵ）が、前記少なくとも１つの第１スレーブ・ユニット（ＳＵ、ＲＲＨ−ＳＵ、ＢＳ−ＳＵ１、ＢＳ−ＳＵ２、ＢＳ−ＳＵ）に前記事前定義の遅延クラスの情報を送信するステップ（Ｍ１／２）と、
をさらに含む、請求項１乃至３のいずれか１項に記載の方法（ＭＥＴ１、ＭＥＴ２）。
【請求項５】
前記決定するステップ（Ｍ１／１）は、前記アップリンク無線周波数信号（ＲＦＳ）が前記マスタ・ユニット（ＭＵ、ＢＳ−ＭＵ、ＲＮＣ−ＭＵ）に転送される前または前記アップリンク無線周波数信号（ＲＦＳ）が前記マスタ・ユニット（ＭＵ、ＢＳ−ＭＵ、ＲＮＣ−ＭＵ）に割り当てられた前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの第２アンテナ・システムから受信される前の、前記事前定義の遅延クラスの予測に基づく、請求項４に記載の方法（ＭＥＴ１）。
【請求項６】
少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）の協調的クラスタ（ＣＣ）でアップリンク無線周波数信号（ＲＦＳ、ＲＦＳ１、ＲＦＳ２）を受信する無線通信システム（ＲＣＳ１、ＲＣＳ２）内のスレーブ・ユニット（ＳＵ、ＲＲＨ−ＳＵ、ＢＳ−ＳＵ１、ＢＳ−ＳＵ２、ＢＳ−ＳＵ）を制御するマスタ・ユニット（ＭＵ、ＢＳ−ＭＵ、ＲＮＣ−ＭＵ）であって、前記マスタ・ユニット（ＭＵ、ＢＳ−ＭＵ、ＲＮＣ−ＭＵ）は、
前記第１スレーブ・ユニット（ＳＵ、ＲＲＨ−ＳＵ、ＢＳ−ＳＵ１、ＢＳ−ＳＵ２、ＢＳ−ＳＵ）に対する事前定義の遅延クラスであって、移動局（ＭＳ）から前記第１スレーブ・ユニット（ＳＵ、ＲＲＨ−ＳＵ、ＢＳ−ＳＵ１、ＢＳ−ＳＵ２、ＢＳ−ＳＵ）を介する前記マスタ・ユニット（ＭＵ、ＢＳ−ＭＵ、ＲＮＣ−ＭＵ）への前記アップリンク無線周波数信号（ＲＦＳ）の伝送時間遅れに対する遅延クラスを決定する手段（ＭＵ−ＤＥＴ−Ｂ）であって、前記事前定義の遅延クラスは、前記少なくとも２つのアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの第１アンテナ・システムで受信された前記アップリンク無線周波数信号（ＲＦＳ、ＲＦＳ１、ＲＦＳ２）の前記マスタ・ユニット（ＭＵ、ＢＳ−ＭＵ、ＲＮＣ−ＭＵ）への転送を制御するために前記スレーブ・ユニット（ＳＵ、ＲＲＨ−ＳＵ、ＢＳ−ＳＵ１、ＢＳ−ＳＵ２、ＢＳ−ＳＵ）によって適用される、決定する手段（ＭＵ−ＤＥＴ−Ｂ）と、
前記事前定義の遅延クラスの情報（ＩＮＦＯ−ＰＣ）の前記スレーブ・ユニット（ＳＵ、ＲＲＨ−ＳＵ、ＢＳ−ＳＵ１、ＢＳ−ＳＵ２、ＢＳ−ＳＵ）への送信を開始する手段（ＭＵ−ＣＯＭ−Ｂ、ＭＵ−ＩＦ）と、
を含むことを特徴とする、マスタ・ユニット（ＭＵ、ＢＳ−ＭＵ、ＲＮＣ−ＭＵ）。
【請求項７】
少なくとも２つアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）の協調的クラスタ（ＣＣ）でアップリンク無線周波数信号（ＲＦＳ、ＲＦＳ１、ＲＦＳ２）を受信する無線通信システム（ＲＣＳ１、ＲＣＳ２）内のマスタ・ユニット（ＭＵ、ＢＳ−ＭＵ、ＲＮＣ−ＭＵ）によって制御されるスレーブ・ユニット（ＳＵ、ＲＲＨ−ＳＵ、ＢＳ−ＳＵ１、ＢＳ−ＳＵ２、ＢＳ−ＳＵ）であって、前記スレーブ・ユニット（ＳＵ、ＲＲＨ−ＳＵ、ＢＳ−ＳＵ１、ＢＳ−ＳＵ２、ＢＳ−ＳＵ）は、
前記少なくとも２つアンテナ・システム（ＢＳ１−ＡＳ、ＢＳ２−ＡＳ、ＲＲＨ１−ＡＳ、ＲＡＮ２−ＢＳ１−ＡＳ、ＲＡＮ２−ＢＳ２−ＡＳ）のうちの第１アンテナ・システムで受信された前記アップリンク無線周波数信号（ＲＦＳ、ＲＦＳ１、ＲＦＳ２）の特性パラメータが事前定義の受信信号品質を満足するかどうかを検証する手段（ＳＵ−ＶＥＲ−Ｂ）と、
前記事前定義の受信信号品質の満足に応じて、前記マスタ・ユニット（ＭＵ、ＢＳ−ＭＵ、ＲＮＣ−ＭＵ）への前記受信されたアップリンク無線周波数信号（ＲＦＳ、ＲＦＳ１、ＲＦＳ２）の転送を制御する手段（ＳＵ−ＣＯＮ−Ｂ）と、
を含み、
前記特性パラメータは、前記受信されたアップリンク無線周波数信号（ＲＦＳ）のサービス・タイプであり、
前記サービス・タイプには、遅延クラスが割り当てられ、
前記事前定義の受信信号品質は、前記第１スレーブ・ユニット（ＳＵ、ＲＲＨ−ＳＵ、ＢＳ−ＳＵ１、ＢＳ−ＳＵ２、ＢＳ−ＳＵ）に対する事前定義の遅延クラスであり、移動局（ＭＳ）から前記第１スレーブ・ユニット（ＳＵ、ＲＲＨ−ＳＵ、ＢＳ−ＳＵ１、ＢＳ−ＳＵ２、ＢＳ−ＳＵ）を介する前記マスタ・ユニット（ＭＵ、ＢＳ−ＭＵ、ＲＮＣ−ＭＵ）への前記アップリンク無線周波数信号（ＲＦＳ）の伝送時間遅れに対する遅延クラスであることを特徴とする、スレーブ・ユニット（ＳＵ、ＲＲＨ−ＳＵ、ＢＳ−ＳＵ１、ＢＳ−ＳＵ２、ＢＳ−ＳＵ）。
【請求項８】
請求項６に記載のマスタ・ユニット（ＭＵ、ＢＳ−ＭＵ、ＲＮＣ−ＭＵ）を含む無線ネットワーク制御装置（ＲＮＣ）。
【請求項９】
少なくとも１つのアンテナ・システム（ＢＳ１−ＡＳ、ＢＳ２−ＡＳ、ＲＡＮ２−ＢＳ１−ＡＳ、ＲＡＮ２−ＢＳ２−ＡＳ）と、
請求項６に記載のマスタ・ユニット（ＭＵ、ＢＳ−ＭＵ）、及び請求項７に記載のスレーブ・ユニット（ＳＵ、ＢＳ−ＳＵ１、ＢＳ−ＳＵ２、ＢＳ−ＳＵ）のうちの少なくとも１つと、
を含む基地局（ＲＡＮ１−ＢＳ、ＲＡＮ１−ＢＳ２、ＲＡＮ２−ＢＳ、ＲＡＮ２−ＢＳ２）。
【請求項１０】
アンテナ・システム（ＲＲＨ１−ＡＳ）と請求項７に記載のスレーブ・ユニット（ＲＲＨ−ＳＵ）とを含むリモート無線ヘッド（ＲＲＨ１）。
【発明の詳細な説明】
【技術分野】
【０００１】
本発明は、無線通信に関し、より詳細には、排他的ではないが無線通信システムでの協調マルチポイント受信に関する。
【背景技術】
【０００２】
３ＧＰＰ  ＬＴＥシステム（ＬＴＥ＝ロング・ターム・エボリューション）などの現在のセルラ・モバイル通信システムは、高いスペクトル効率を達成するために、ＭＩＭＯアンテナ技術（ＭＩＭＯ＝多重入力・多重出力）に依拠する。さらに、使用可能な稀少システム帯域幅を完全に利用するために、その周波数再利用がしばしば適用される。これは、セル全体での達成可能なユーザ・レートの強いアンバランスにつながる。さらに、セル間干渉は、セルラ・システム性能に関する支配的な制限になる。ＣｏＭＰ（ＣｏＭＰ＝協調マルチポイント）などの技法は、この問題に対処する。ＣｏＭＰでは、同一の基地局または異なる基地局に属する複数の分散されたアンテナ・アレイが、グループ化されて、複数の無線セルがオーバーラップする拡大されたカバレージ・エリアのいわゆる協調クラスタ（ｃｏｏｐｅｒａｔｉｏｎ  ｃｌｕｓｔｅｒ）を形成する。協調クラスタは、分散アンテナ・アレイから移動局への同時ダウンリンク送信または移動局からアップリンク方向で送信された無線周波数信号に関するアンテナ・アレイでの同時アップリンク受信を可能にする。これは、ネットワークＭＩＭＯとも称する、協調クラスタ全体にわたる分散ＭＩＭＯシステムの形成を可能にする。
【０００３】
複数のアンテナ・アレイでの移動局からのアップリンク無線周波数信号の受信、複数のアンテナ・アレイに関連する１つまたは複数のスレーブ・ユニットからマスタ・ユニットへの受信されたアップリンク無線周波数信号の転送、およびマスタ・ユニットでのアップリンク無線周波数信号の重ね合せの実行は、単一のアンテナ・アレイを介するアップリンク無線周波数信号の受信および単一の受信されたアップリンク無線周波数信号からのデータの回復と比較して、高いＳＩＮＲ（ＳＩＮＲ＝信号対干渉雑音比）のゆえに、無線通信システムの全体的なシステム性能を改善する可能性がある。
【発明の概要】
【発明が解決しようとする課題】
【０００４】
無線通信システムによって受信されるアップリンク無線周波数信号を処理するこの方法は、無線通信システムのネットワーク・ノードの間の伝送リンクの帯域幅をもたらし、アップリンク・データのデータ・ハンドリングの時間遅れをもたらし、無線通信システムのネットワーク・ノードでの処理能力をもたらす。
【０００５】
本発明の目的は、設置コストなどのＣＡＰＥＸ（ＣＡＰＥＸ＝資本支出（Ｃａｐｉｔａｌ  Ｅｘｐｅｎｄｉｔｕｒｅ））および無線通信システムを動作させるためのエネルギ消費などのＯＰＥＸ（ＯＰＥＸ＝運用支出（ｏｐｅｒａｔｉｏｎａｌ  ｅｘｐｅｎｄｉｔｕｒｅ））を減らすことである。
【課題を解決するための手段】
【０００６】
この目的は、無線通信システム内でアップリンク無線周波数信号を受信する方法であって、無線通信システムは、アップリンク無線周波数信号の受信のための少なくとも１つのアンテナ・システムと、少なくとも１つのアンテナ・システムに接続された第１スレーブ・ユニットと、第１スレーブ・ユニットを制御するマスタ・ユニットとを含み、方法は、アップリンク無線周波数信号を少なくとも１つのアンテナ・システムで受信するステップと、受信されたアップリンク無線周波数信号の特性パラメータが事前定義の判断基準を満足するかどうかを検証するステップと、事前定義の判断基準の満足に応じて、マスタ・ユニットへの受信されたアップリンク無線周波数信号の転送を制御するステップとを含む、方法によって達成される。この目的は、さらに、無線通信システム内で使用されるマスタ・ユニットによって、無線通信システム内で使用される第１スレーブ・ユニットによって、マスタ・ユニットを含む無線ネットワーク制御装置によって、マスタ・ユニットおよび／または第１スレーブ・ユニットを含む基地局によって、ならびに第１スレーブ・ユニットを含むリモート無線ヘッドによって達成される。マスタ・ユニットを、たとえば、ＣｏＭＰ内で適用されるものなどのマルチポイント受信を実行する複数のアンテナ・システムの協調的クラスタのマスタ・ユニットとすることができ、あるいは、マスタ・ユニットを、たとえばリモート無線ヘッド内または能動アンテナ・アレイ内に配置されるたとえば単一のスレーブ・ユニットを制御する基地局内に配置することができる。
【０００７】
この方法は、マスタ・ユニットと１つまたは複数のスレーブ・ユニットとの間の伝送リンク上でより少ない伝送容量を必要とするという第１の利益を提供する。これは、本発明を用いない場合、マスタ・ユニットと１つまたは複数のスレーブ・ユニットとの伝送リンク上のより少ない伝送容量を有する無線通信システムを、計画し、設置することができ、これによって設置コストが下がることを意味する。
【０００８】
この方法は、移動局から少なくとも１つのアンテナ・システムへの伝送チャネル上の高速フェージングなどの短期変化に反応し、いわゆる協調クラスタの１つまたは複数のスレーブ・ユニットから協調クラスタのマスタ・ユニットへの無線周波数信号の伝送（無線周波数信号の受信品質を大幅には改善しない可能性があり、あるいは、対話型ゲームまたはＶｏＩＰ（ＶｏＩＰ＝ボイス・オーバー・インターネット・プロトコル）などの時間に敏感なサービスの場合に非常に遅れて到着する可能性がある）を回避するという第２の利点を提供する。これによって、受信されたアップリンク無線周波数信号をマスタ・ユニットに転送する伝送電力と、転送された受信されたアップリンク無線周波数信号を処理する処理電力とを減らすことができる。ほとんどの利益を、具体的には移動局のユーザによって要求されるビデオ会議またはビデオ・アップロードなどのデータ集中型サービスについて実現することができる。
【０００９】
検証するステップを、少なくとも１つのアンテナ・システムの複数のアンテナ要素で受信される全体的な信号について行うことができ、あるいは、検証するステップを、能動アンテナ・アレイの場合など、アップリンク無線周波数信号を受信する少なくとも１つのアンテナ・システムのアンテナ要素ごとに別々に行うことができる。
【００１０】
事前定義の判断基準は、移動局から少なくとも１つのアンテナ・システムへの無線リンク上のアップリンク無線周波数信号のトランスポート・フォーマット、および／または第１スレーブ・ユニットからマスタ・ユニットへの接続上の未使用の伝送リソース、および／またはアップリンク無線周波数信号に関する第１スレーブ・ユニットからマスタ・ユニットへの接続上の必要な伝送リソース、および／または第１スレーブ・ユニットで実行されるチャネル推定アルゴリズムの品質、および／または少なくとも１つのアンテナ・システムのカバレージ・エリア内でアップリンク無線周波数信号を送信する移動局の位置、および／またはアップリンク無線周波数信号を送信する移動局の速度のうちの１つまたは複数のパラメータによって決まる可能性がある。
【００１１】
好ましい実施形態では、この方法は、マスタ・ユニットで、特性パラメータに関する事前定義の判断基準を決定するステップと、マスタ・ユニットから第１スレーブ・ユニットに事前定義の判断基準の情報を送信するステップと、第１スレーブ・ユニットで、特性パラメータが事前定義の判断基準を満足するかどうかを検証するステップとをさらに含む。この好ましい実施形態は、どの無線周波数信号をマスタ・ユニットで重畳すべきか、したがってどの無線周波数信号を１つまたは複数のスレーブ・ユニットからマスタ・ユニットに送信すべきかを協調クラスタ内で集中制御するという利点を提供する。
【００１２】
さらなる好ましい実施形態では、決定するステップは、アップリンク無線周波数信号がマスタ・ユニットに転送される前またはアップリンク無線周波数信号がマスタ・ユニットに割り当てられた少なくとも１つのアンテナ・システムのうちの第２アンテナ・システムから受信される前の、事前定義の判断基準の予測に基づく。このさらなる好ましい実施形態は、前もって、移動局の任意の無線周波数信号が移動局から協調クラスタに送信される前に、１つまたは複数のスレーブ・ユニットで事前定義の判断基準を構成するという利点を提供する。事前定義の判断基準の予測を、たとえば、移動局の特定の位置と協調クラスタの複数のアンテナ・システムとの間の平均経路損の表示を提供する長期測定値に基づくものとすることができ、たとえば、移動局と協調クラスタのアンテナ・アレイとの間のアップリンク無線周波数信号の伝送経路上の障害物によってこうむる反射などの長期的影響によって影響を受ける可能性がある。障害物は、ビルディング、トンネル、丘、その他に関するものとすることができる。
【００１３】
さらに好ましい実施形態では、少なくとも１つのアンテナ・システムのうちの第２アンテナ・システムは、マスタ・ユニットを含むネットワーク・ノードに接続され、方法は、マスタ・ユニットで、事前定義の判断基準のオフセット値を決定するステップと、マスタ・ユニットで、少なくとも１つのアンテナ・システムのうちの第２アンテナ・システムを介してアップリンク無線周波数信号を受信するステップと、マスタ・ユニットで、少なくとも１つのアンテナ・システムのうちの第２アンテナ・システムを介して受信されたアップリンク無線周波数信号の特性パラメータの値を決定するステップとをさらに含み、事前定義の判断基準は、特性パラメータの値に基づき、事前に定義されたオフセット値に基づいて決定される。これは、スレーブ・ユニットから転送されたアップリンク無線周波数信号のマスタ・ユニットでの受信を伴わずに、マスタ・ユニットを含むネットワーク・ノードに接続された少なくとも１つのアンテナ・システムのうちの第２のアンテナ・システムを介してマスタ・ユニットで直接に受信されたアップリンク無線周波数信号のうちの第１のアップリンク無線周波数信号の現在の受信品質を考慮に入れることによって、マルチポイント受信の現在の条件により適する事前定義の判断基準を決定することを可能にする。これによって、最良の場合に、アップリンク無線周波数信号のうちの第１のアップリンク無線周波数信号の受信品質は、サービス・エラーなしのユーザ・データ・ビットなどの受信されたアップリンク無線周波数信号の情報要素を回復するのに既に十分であり、１つまたは複数のスレーブ・ユニットからマスタ・ユニットへのさらなるアップリンク無線周波数信号の転送は、不要である。
【００１４】
さらなる代替実施形態では、少なくとも１つのアンテナ・システムのうちの第２アンテナ・システムは、マスタ・ユニットを含むネットワーク・ノードに接続され、方法は、マスタ・ユニットおよび第１スレーブ・ユニットで、事前定義の判断基準のオフセット値を決定するステップと、マスタ・ユニットで、少なくとも１つのアンテナ・システムのうちの第２アンテナ・システムを介してアップリンク無線周波数信号を受信するステップと、マスタ・ユニットで、少なくとも１つのアンテナ・システムのうちの第２アンテナ・システムを介して受信されたアップリンク無線周波数信号の特性パラメータの値を決定するステップと、マスタ・ユニットから第１スレーブ・ユニットへ特性パラメータの値を送信するステップと、第１スレーブ・ユニットで、特性パラメータの値に基づき、事前定義のオフセット値に基づいて、事前定義の判断基準を決定するステップとをさらに含む。このさらなる代替実施形態は、上で述べた実施形態に似ているが、事前定義の判断基準がマスタ・ユニットから第１スレーブ・ユニットに送信されるのではなく、マスタ・ユニットで決定された特性パラメータの値が送信され、第１スレーブ・ユニットが、第１スレーブ・ユニットで構成されたオフセット値とマスタ・ユニットで決定されマスタ・ユニットから受信された特性パラメータの値とに基づいて事前定義の判断基準を決定するという相違を有する。
【００１５】
第１の代替実施形態では、特性パラメータは、受信されたアップリンク無線周波数信号のサービス・タイプであり、事前定義の判断基準は、受信されたアップリンク無線周波数信号の事前定義の遅延クラスであり、事前定義の遅延クラスは、移動局から第１スレーブ・ユニットを介するマスタ・ユニットへのアップリンク周波数信号の伝送時間遅れに依存する。この第１の代替実施形態は、より小さい伝送時間遅れを伴ってマスタ・ユニットまたは他のスレーブ・ユニットで直接に受信される他のアップリンク無線周波数信号との重ね合せに関してマスタ・ユニットに非常に遅れて到着するはずの、スレーブ・ユニットでのアップリンク無線周波数信号の、ビデオ会議などの遅延に敏感なサービスに関するブロッキングを可能にする。移動局からスレーブ・ユニットを介するマスタ・ユニットへの伝送時間は、スレーブ・ユニットからマスタ・ユニットへの伝送経路の長さまたは受信されたアップリンク無線周波数信号の処理および転送に関するスレーブ・ユニットでの残りの処理能力に依存する可能性がある。
【００１６】
第２の代替実施形態では、特性パラメータは、受信されたアップリンク無線周波数信号の受信品質であり、事前定義の判断基準は、事前定義の受信信号品質である。好ましくは、事前定義の受信信号品質は、信号対干渉雑音比しきい値、信号対干渉比しきい値、または信号対雑音比しきい値である。
【００１７】
さらなる好ましい実施形態によれば、この方法は、第１スレーブ・ユニットで、受信されたアップリンク無線周波数信号の受信品質を決定するステップと、第１スレーブ・ユニットからマスタ・ユニットに受信品質の情報を送信するステップと、マスタ・ユニットで、第１スレーブ・ユニットを介するアップリンク無線周波数信号の受信が、アップリンク無線周波数信号によって送信された情報を回復するために必要であるかどうかを検証するステップと、第１スレーブ・ユニットを介するアップリンク無線周波数信号の受信が必要である場合に、受信されたアップリンク無線周波数信号を第１スレーブ・ユニットからマスタ・ユニットに送信する要求をマスタ・ユニットから第１スレーブ・ユニットに送信するステップとをさらに含む。このさらなる好ましい実施形態を、より厳密でない時間遅れ要件を有するサービスに適用することができる。というのは、第１サブステップで、受信されたアップリンク無線周波数信号の受信品質の測定結果が、マスタ・ユニットがその送信を要求した場合に、第１スレーブ・ユニットからマスタ・ユニットに送信され、第２サブステップまでに、受信されたアップリンク無線周波数信号自体が第１スレーブ・ユニットからマスタ・ユニットに送信されないからである。これによって、マスタ・ユニットは、受信されたアップリンク無線周波数信号が第１スレーブ・ユニットからマスタ・ユニットに送信されなければならず、マスタ・ユニットで重ね合せに使用されなければならないのかどうか、または、受信されたアップリンク無線周波数信号が第１スレーブ・ユニットで破棄されなければならないのかどうかを、受信されたアップリンク無線周波数信号ごとに制御することができる。さらに、これは、受信されたアップリンク無線周波数信号の測定プロセスおよび意思決定プロセスを第１スレーブ・ユニットとマスタ・ユニットとにまたがって分散させることを可能にする。
【００１８】
本発明のさらなる有利な特徴は、本発明の次の詳細な説明で定義され、説明される。
【００１９】
本発明の実施形態は、次の詳細な説明で明白になり、非限定的な例示として与えられる添付図面に示される。
【図面の簡単な説明】
【００２０】
【図１】本発明の第１実施形態による無線通信ネットワークを示すブロック図である。
【図２】本発明の第２実施形態による無線通信ネットワークを示すブロック図である。
【図３】本発明の第１実施形態または第２実施形態による方法を示す流れ図である。
【図４】本発明のさらなる実施形態による方法を示す流れ図である。
【図５】本発明のさらなる実施形態による方法を示す流れ図である。
【図６】本発明の実施形態によるマスタ・ユニットを示すブロック図である。
【図７】本発明の実施形態によるスレーブ・ユニットを示すブロック図である。
【発明を実施するための形態】
【００２１】
図１に、本発明の第１実施形態による無線アクセス・ネットワークＲＡＮ１を含む無線通信システムＲＣＳ１を示す。無線通信システムＲＣＳ１のコア・ネットワークおよびさらなる無線通信システム、インターネット、または固定回線通信システムへの無線通信システムＲＣＳ１の接続は、単純化のために図示されていない。
【００２２】
無線通信システムＲＣＳ１を、たとえば、ＯＦＤＭ（ＯＦＤＭ＝直交周波数分割多重）を使用する３ＧＰＰ  ＬＴＥ無線通信ネットワークとすることができる。さらなる代替案では、無線通信システムＲＣＳ１を、たとえば、ＩＥＥＥ  ８０２．１６規格ファミリ（ＩＥＥＥ＝電気電子技術者協会）に基づくＷｉＭＡＸ無線通信ネットワーク（ＷｉＭＡＸ＝Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）またはＩＥＥＥ  ８０２．１１規格ファミリに基づくＷＬＡＮ（ＷＬＡＮ＝無線ローカル・エリア・ネットワーク）とすることができる。
【００２３】
無線アクセス・ネットワークＲＡＮ１は、例示的に、第１基地局ＲＡＮ１−ＢＳ１、第２基地局ＲＡＮ１−ＢＳ２、および第１基地局ＲＡＮ１−ＢＳ１と第２基地局ＲＡＮ１−ＢＳ２との間の伝送経路Ｌを含む。伝送経路Ｌを、たとえば、３ＧＰＰ  ＬＴＥで使用されるものなどのＸ２インターフェースとすることができる。
【００２４】
用語「基地局」を、無線基地局、Ｎｏｄｅ  Ｂ、ｅｎｈａｎｃｅｄ  Ｎｏｄｅ  Ｂ、アクセス・ポイント、その他と同義と考え、かつ／またはそのように称することができ、用語「基地局」は、１つまたは複数の無線リンクを介する無線接続性を１つまたは複数の移動局に提供する機器を記述することができる。
【００２５】
さらなる基地局、基地局の間のさらなる接続、および基地局とコア・ネットワークのネットワーク・ノードとの間の接続は、単純化のために図示されていない。
【００２６】
第１基地局ＲＡＮ１−ＢＳ１は、たとえば、マスタ・ユニットＢＳ−ＭＵ、電力増幅器などの能動要素を有する第１リモート無線ヘッドＲＲＨ１（ＲＲＨ＝リモート無線ヘッド）、第１基地局ＲＡＮ１−ＢＳ１と第１ＲＲＨ  ＲＲＨ１との間の第１伝送経路ＢＳ１−Ｌ１、および能動要素なしで第１基地局ＲＡＮ１−ＢＳの隣に配置され、第１基地局ＲＡＮ１−ＢＳに直接に接続される第１アンテナ・システムＢＳ１−ＡＳを含む。代替案では、第１基地局ＲＡＮ１−ＢＳ１は、複数のＲＲＨおよび／または第１基地局ＲＡＮ１−ＢＳに直接に接続された複数のアンテナ・システムを含む。
【００２７】
第１アンテナ・システムＢＳ１−ＡＳは、たとえば、２つのアンテナ要素を含むことができる。代替案では、第１アンテナ・システムＢＳ１−ＡＳは、４つのアンテナ要素など、３つ以上のアンテナ要素を含むことができる。
【００２８】
第１伝送経路ＢＳ１−Ｌ１は、たとえば、ＣＰＲ規格（ＣＰＲＩ＝Ｃｏｍｍｏｎ  Ｐｕｂｌｉｃ  Ｒａｄｉｏ  Ｉｎｔｅｒｆａｃｅ）に基づくものとすることができる。
【００２９】
第１ＲＲＨ  ＲＲＨ１は、第１スレーブ・ユニットＲＲＨ−ＳＵおよび第１スレーブ・ユニットＲＲＨ−ＳＵに接続された第２アンテナ・システムＲＲＨ１−ＡＳを含む。第２アンテナ・システムＲＲＨ１−ＡＳは、たとえば、２つのアンテナ要素を含むことができ、受動アンテナ・アレイまたは能動アンテナ・アレイとすることができる。代替案では、第２アンテナ・システムＲＲＨ１−ＡＳは、４つのアンテナ要素など、３つ以上のアンテナ要素を含むことができる。
【００３０】
第１アンテナ・システムＢＳ１−ＡＳは、第１無線セルＢＳ−Ｃｅｌｌ−１の無線カバレージを提供し、第２アンテナ・システムＲＲＨ１−ＡＳは、第２無線セルＢＳ−Ｃｅｌｌ−２の無線カバレージを提供する。
【００３１】
用語「無線セル」を、セル、無線セクタ、セクタなどと同義と考え、かつ／またはそのように称することができる。
【００３２】
第２基地局ＲＡＮ１−ＢＳ２は、第２スレーブ・ユニットＢＳ−ＳＵおよび第２スレーブ・ユニットＢＳ−ＳＵに接続された第３アンテナ・システムＢＳ２−ＡＳを含む。第３アンテナ・システムＢＳ２−ＡＳは、２つのアンテナ要素を含むことができ、第３無線セルＢＳ−Ｃｅｌｌ−３に無線カバレージを提供する。さらなる代替案では、第２基地局ＲＡＮ１−ＢＳ２は、複数のアンテナ・システムを含むことができ、第３アンテナ・システムＢＳ２−ＡＳは、４つのアンテナ要素など、３つ以上のアンテナ要素を含むことができる。
【００３３】
第１スレーブ・ユニットＲＲＨ−ＳＵおよび第２スレーブ・ユニットＢＳ−ＳＵは、マスタ・ユニットＢＳ−ＭＵによって制御される。
【００３４】
第１無線セルＢＳ−Ｃｅｌｌ−１、第２無線セルＲＲＨ−Ｃｅｌｌ−２、および第３無線セルＲＲＨ−Ｃｅｌｌ−３は、協調的クラスタＣＣの一部になるように構成される。
【００３５】
用語「協調的クラスタ」を、協調的セット、協調セット、ＣｏＭＰクラスタ、クラスタ、その他と同義と考え、かつ／またはそのように称することができ、用語「協調的クラスタ」は、１つまたは複数の移動局からのアップリンク無線周波数信号の合同受信のために協調する無線通信システムの複数のアンテナ要素を記述することができる。
【００３６】
好ましくは、アンテナ・アレイそれぞれ協調的クラスタＣＣに属する無線セルを、無線通信システムＲＣＳ１の基地局ＲＡＮ１−ＢＳ１、ＲＡＮ１−ＢＳ２で実行される分散自己構成アルゴリズムに基づいて選択することができる。自己構成アルゴリズムを、たとえば、無線セルＢＳ−Ｃｅｌｌ−１、ＲＲＨ−Ｃｅｌｌ−２、およびＲＲＨ−Ｃｅｌｌ−３のカバレージ・エリア内に配置された移動局と無線通信システムＲＣＳ１のアンテナ・システムＢＳ１−ＡＳ、ＲＲＨ１−ＡＳ、およびＢＳ２−ＡＳとの間の経路損に関する長期測定値に基づくものとすることができる。
【００３７】
代替案では、協調的クラスタＣＣを、無線通信システムＲＣＳ１のＯ＆Ｍネットワーク・ノード（Ｏ＆Ｍ＝Ｏｐｅｒａｔｉｏｎ  ａｎｄ  Ｍａｉｎｔｅｎａｎｃｅ）（単純化のために図１には図示せず）によって構成することができる。
【００３８】
移動局ＲＡＮ１−ＭＳを、協調的クラスタＣＣの全体的なカバレージ・エリア内に配置することができる。
【００３９】
移動局ＲＡＮ１−ＭＳから無線アクセス・ネットワークＲＡＮ１へのアップリンク方向では、協調的クラスタＣＣのすべての無線セルまたは無線セルＢＳ−Ｃｅｌｌ−１、ＲＲＨ−Ｃｅｌｌ−２、ＲＲＨ−Ｃｅｌｌ−３のサブセットが、マルチポイント受信モードでアップリンクＭＩＭＯ送信（ＭＩＭＯ＝多重入力・多重出力）またはアップリンクＳＩＭＯ送信（ＳＩＭＯ＝単一入力・多重出力）を介して移動局ＲＡＮ１−ＭＳからアップリンク無線周波数信号を受信する可能性がある。
【００４０】
用語「移動局」を、モバイル・ユニット、モバイル・ユーザ、アクセス端末、ユーザ機器、加入者、ユーザ、リモート・ステーション、その他などと同義と考えることができ、以下では時々そのように称する場合がある。移動局ＲＡＮ１−ＭＳは、たとえば、セルラ電話機、ポータブル・コンピュータ、ポケット・コンピュータ、ハンドヘルド・コンピュータ、携帯情報端末、または車載モバイル・デバイスとすることができる。
【００４１】
たとえば、第１スレーブ・ユニットＲＲＨ−ＳＵが、対応する第２アンテナ・システムＲＲＨ１−ＡＳを介して移動局ＲＡＮ１−ＭＳからアップリンク無線周波数信号を受信する場合には、第１ＲＲＨ  ＲＲＨ１で受信されたアップリンク無線周波数信号の特性パラメータが事前定義の判断基準を満足するならば、受信されたアップリンク無線周波数信号は、第１ＲＲＨ  ＲＲＨ１から第１伝送経路ＢＳ１−Ｌ１を介して第１基地局ＲＡＮ１−ＢＳに転送される。
【００４２】
同一の形で、第２基地局ＲＡＮ１−ＢＳ２は、第２基地局ＲＡＮ１−ＢＳ２で受信されたアップリンク無線周波数信号の特性パラメータが事前定義の判断基準を満足するならば、受信されたアップリンク無線周波数信号を第１基地局ＲＡＮ１−ＢＳ１に転送する。
【００４３】
無線通信システムＲＣＳ１内で適用される本発明の方法のより詳細な説明は、図３から図５に関して与えられる。
【００４４】
図２に、本発明の第２実施形態による無線アクセス・ネットワークＲＡＮ２を含む無線通信システムＲＣＳ２を示す。無線通信システムＲＣＳ２のコア・ネットワークおよびさらなる無線通信システム、インターネット、または固定回線通信システムへの無線通信システムＲＣＳ２の接続は、単純化のために図示されていない。
【００４５】
無線通信システムＲＣＳ２は、たとえば、ＯＦＤＭ（ＯＦＤＭ＝直交周波数分割多重）を使用する３ＧＰＰ  ＵＭＴＳ無線通信ネットワークとすることができる。さらなる代替案では、無線通信システムＲＣＳ２を、たとえば、３ＧＰＰ  ＨＳＵＰＡ無線通信ネットワーク（ＨＳＵＰＡ＝高速アップリンク・パケット・アクセス）とすることができる。
【００４６】
無線アクセス・ネットワークＲＡＮ２は、例示的に、無線ネットワーク制御装置ＲＮＣ、第１基地局ＲＡＮ２−ＢＳ１、第１基地局ＲＡＮ２−ＢＳ１と無線ネットワーク制御装置ＲＮＣとの間の第１伝送経路ＲＮＣ−Ｌ１、第２基地局ＲＡＮ２−ＢＳ２、および第２基地局ＲＡＮ２−ＢＳ２と無線ネットワーク制御装置ＲＮＣとの間の第２伝送経路ＲＮＣ−Ｌ２を含む。
【００４７】
第１伝送経路ＲＮＣ−Ｌ１および第２伝送経路ＲＮＣ−Ｌ２は、たとえば、３ＧＰＰ  ＵＭＴＳで使用されるものなどのＩｕｂインターフェースとすることができる。用語「無線ネットワーク制御装置」を、基地局制御装置、ＲＮＣ、ＢＳＣ、その他と同義と考え、かつ／またはそのように称することができ、用語「無線ネットワーク制御装置」は、無線アクセス・ネットワークの１つまたは複数の基地局を制御する機器を記述することができる。
【００４８】
無線アクセス・ネットワークＲＡＮ２のさらなる無線ネットワーク制御装置およびさらなる基地局は、単純化のために図示されていない。
【００４９】
無線ネットワーク制御装置ＲＮＣは、第１基地局ＲＡＮ２−ＢＳ１および第２基地局ＲＡＮ２−ＢＳ２のスレーブ・ユニットＢＳ−ＳＵ１、ＢＳ−ＳＵ２を制御するマスタ・ユニットＲＮＣ−ＭＵを含む。
【００５０】
第１基地局ＲＡＮ２−ＢＳ１は、第１スレーブ・ユニットＢＳ−ＳＵ１および第１スレーブ・ユニットＢＳ−ＳＵ１に接続された第１アンテナ・システムＲＡＮ２−ＢＳ１−ＡＳを含む。第１アンテナ・システムＲＡＮ２−ＢＳ１−ＡＳは、たとえば、第１無線セルＢＳ−Ｃｅｌｌ−１に無線カバレージを提供する１つのアンテナ要素を含むことができる。代替案では、第１アンテナ・システムＲＡＮ２−ＢＳ１−ＡＳは、複数のアンテナ要素を含むことができ、第１アンテナ・システムＲＡＮ２−ＢＳ１−ＡＳは、受動アンテナ・アレイまたは能動アンテナ・アレイとすることができる。
【００５１】
さらなる代替案では、第１基地局ＲＡＮ２−ＢＳ１は、複数の無線セルに無線カバレージを提供する複数のアンテナ・システムを含むことができる。
【００５２】
第２基地局ＲＡＮ２−ＢＳ２は、第２スレーブ・ユニットＢＳ−ＳＵ２および第２スレーブ・ユニットＢＳ−ＳＵ２に接続された第２アンテナ・システムＲＡＮ２−ＢＳ２−ＡＳを含む。第２アンテナ・システムＲＡＮ２−ＢＳ２−ＡＳは、たとえば、第２無線セルＢＳ−Ｃｅｌｌ−２に無線カバレージを提供する１つのアンテナ要素を含むことができる。代替案では、第２アンテナ・システムＲＡＮ２−ＢＳ２−ＡＳは、複数のアンテナ要素を含むことができ、第２アンテナ・システムＲＡＮ２−ＢＳ２−ＡＳは、受動アンテナ・アレイまたは能動アンテナ・アレイとすることができる。
【００５３】
さらなる代替案では、第２基地局ＲＡＮ２−ＢＳ２は、複数の無線セルに無線カバレージを提供する複数のアンテナ・システムを含むことができる。
【００５４】
移動局ＲＡＮ２−ＭＳは、第１無線セルＢＳ−Ｃｅｌｌ−１と第２無線セルＢＳ−Ｃｅｌｌ−２とのオーバーラップ領域内にあるものとすることができ、ＵＭＴＳ  ＦＤＤ伝送モード（ＦＤＤ＝周波数分割複信）で適用されるものなどのいわゆるソフト・ハンドオーバ状態にあるものとすることができる。これは、移動局ＲＡＮ２−ＭＳが、第１基地局ＲＡＮ２−ＢＳ１および第２基地局ＲＡＮ２−ＢＳ２と同時に通信し、第１基地局ＲＡＮ２−ＢＳ１および第２基地局ＲＡＮ２−ＢＳ２が、ダウンリンク専用チャネル上で同一の情報を移動局ＲＡＮ２−ＭＳに送信することを意味する。移動局ＲＡＮ２−ＭＳから無線アクセス・ネットワークＲＡＮ２へのアップリンク方向では、第１基地局ＲＡＮ２−ＢＳ１および第２基地局ＲＡＮ２−ＢＳ２は、移動局ＲＡＮ２−ＭＳからアップリンク無線周波数信号を受信する。
【００５５】
第１スレーブ・ユニットＢＳ−ＳＵ１が、対応する第１アンテナ・システムＲＡＮ２−ＢＳ１−ＡＳを介して移動局ＲＡＮ２−ＭＳからアップリンク無線周波数信号を受信する場合に、受信されたアップリンク無線周波数信号は、第１スレーブ・ユニットＢＳ−ＳＵ１での受信されたアップリンク無線周波数信号の特性パラメータが事前定義の判断基準を満足するならば、第１スレーブ・ユニットＢＳ−ＳＵ１から第１伝送経路ＲＮＣ−Ｌ１を介してマスタ・ユニットＲＮＣ−ＭＵに転送される。同一の形で、第２スレーブ・ユニットＢＳ−ＳＵ２は、受信されたアップリンク無線周波数信号の特性パラメータが第２スレーブ・ユニットＢＳ−ＳＵ２で事前定義の判断基準を満足するならば、受信されたアップリンク無線周波数信号をマスタ・ユニットＲＮＣ−ＭＵに転送する。
【００５６】
代替案では、第１無線セルＢＳ−Ｃｅｌｌ−１および第２無線セルＢＳ−Ｃｅｌｌ−２が、同一の基地局に属する可能性があり、その同一の基地局が、マスタ・ユニットと第１スレーブ・ユニットＢＳ−ＳＵ１および第２スレーブ・ユニットＢＳ−ＳＵ２とを含む可能性があり、移動局ＲＡＮ２−ＭＳが、いわゆるソフタ・ハンドオーバ状態である可能性がある場合に、類似する内部の事前定義の判断基準を、受信されたアップリンク無線周波数信号を第１スレーブ・ユニットＢＳ−ＳＵ１および第２スレーブ・ユニットＢＳ−ＳＵ２からマスタ・ユニットに転送するために、受信されたアップリンク無線周波数信号の特性パラメータに関して適用することができる。
【００５７】
第１アンテナ・システムＲＡＮ２−ＢＳ１−ＡＳで受信されたアップリンク無線周波数信号と第２アンテナ・システムＲＡＮ２−ＢＳ２−ＡＳで受信されたアップリンク無線周波数信号との両方が事前定義の判断基準を満足しない場合には、無線ネットワーク制御装置ＲＮＣは、事前定義の時間フレーム内にアップリンク無線周波数信号を全く受信しない。その場合には、無線ネットワーク制御装置ＲＮＣは、たとえば３ＧＰＰ  ＬＴＥで適用されるように１つまたは複数のＴＴＩ（ＴＴＩ＝送信時間間隔）などの短い時間間隔の間に第１スレーブ・ユニットＢＳ−ＳＵ１と第２スレーブ・ユニットＢＳ−ＳＵ２との両方の事前定義の判断基準を一時的に下げることによって、そのような状況を解決することができる。
【００５８】
無線通信システムＲＣＳ２内で適用される方法のより詳細な説明は、図３から図５に関して与えられる。
【００５９】
図３を参照すると、本発明の第１実施形態および第２実施形態による方法ＭＥＴ１の流れ図が示されている。方法ＭＥＴ１を実行するステップの個数は、クリティカルではなく、当業者によって理解され得るように、ステップの個数およびステップの順序を、本発明の範囲から逸脱せずに変更することができる。
【００６０】
マスタ・ユニットＭＵを含む第１ネットワーク・ノードＮＮ１と、スレーブ・ユニットＳＵを含む第２ネットワーク・ノードＮＮ２と、移動局ＭＳとの間の流れ図が示されている。図１の第１実施形態によれば、第１ネットワーク・ノードＮＮ１は、第１基地局ＲＡＮ１−ＢＳ１とすることができ、マスタ・ユニットＭＵは、マスタ・ユニットＢＳ−ＭＵとすることができ、第２ネットワーク・ノードＮＮ２は、第１ＲＲＨ  ＲＲＨ１または第２基地局ＲＡＮ１−ＢＳ２のうちの１つとすることができ、スレーブ・ユニットＳＵは、スレーブ・ユニットＲＲＨ−ＳＵ、ＢＳ−ＳＵのうちの１つとすることができ、移動局ＭＳは、移動局ＲＡＮ１−ＭＳとすることができる。図２の第２実施形態によれば、第１ネットワーク・ノードＮＮ１は、無線ネットワーク制御装置ＲＮＣとすることができ、マスタ・ユニットＭＵは、マスタ・ユニットＲＮＣ−ＭＵとすることができ、第２ネットワーク・ノードＮＮ２は、第１基地局ＲＡＮ２−ＢＳ１または第２基地局ＲＡＮ２−ＢＳ２のうちの１つとすることができ、スレーブ・ユニットＳＵは、スレーブ・ユニットＢＳ−ＳＵ１、ＢＳ−ＳＵ２のうちの１つとすることができ、移動局ＭＳは、移動局ＲＡＮ２−ＭＳとすることができる。
【００６１】
第１ステップＭ１／１では、特性パラメータの事前定義の判断基準を、マスタ・ユニットＭＵで決定することができる。代替案では、事前定義の判断基準を、無線通信システムＲＣＳ１、ＲＣＳ２のＯ＆Ｍネットワーク・ノードで決定することができ、Ｏ＆Ｍネットワーク・ノードからマスタ・ユニットＭＵに送信することができる。
【００６２】
好ましくは、特性パラメータを、受信されたアップリンク無線周波数信号の受信品質とすることができ、事前定義の判断基準を、事前定義の受信信号品質とすることができる。
【００６３】
事前定義の受信信号品質を、たとえば、たとえばｄＢ単位で与えられるＳＩＮＲしきい値ＳＩＮＲ＿ｔｈｒｅｓｈｏｌｄとすることができ、受信されたアップリンク無線周波数信号の受信品質を、スレーブ・ユニットＳＵを含むネットワーク・ノードで測定されるスレーブＳＩＮＲ測定値ＳＩＮＲ＿ｓｌａｖｅ＿ｍｅａｓｕｒｅとすることができる。
【００６４】
第１の代替案では、事前定義の受信信号品質を、たとえばｄＢ単位で与えられるＳＩＲしきい値（ＳＩＲ＝信号対干渉比、搬送波対干渉比としても知られる）ＳＩＲ＿ｔｈｒｅｓｈｏｌｄとすることができ、受信されたアップリンク無線周波数信号の受信品質を、スレーブ・ユニットＳＵを含むネットワーク・ノードで測定されるスレーブＳＩＲ測定値ＳＩＲ＿ｓｌａｖｅ＿ｍｅａｓｕｒｅとすることができる。
【００６５】
第２の代替案では、事前定義の受信信号品質を、たとえばｄＢ単位で与えられるＳＮＲしきい値（ＳＮＲ＝信号対雑音比）ＳＮＲ＿ｔｈｒｅｓｈｏｌｄとすることができ、受信されたアップリンク無線周波数信号の受信品質を、スレーブ・ユニットＳＵを含むネットワーク・ノードで測定されたスレーブＳＮＲ測定値ＳＮＲ＿ｓｌａｖｅ＿ｍｅａｓｕｒｅとすることができる。
【００６６】
第３の代替案では、事前定義の受信信号品質を、たとえばμＷ単位で与えられる受信信号電力しきい値とすることができ、受信されたアップリンク無線周波数信号の受信品質を、スレーブ・ユニットＳＵを含むネットワーク・ノードで測定される受信されたアップリンク無線周波数信号の信号電力とすることができる。
【００６７】
事前定義の受信信号品質に関する事前に定義するアルゴリズムは、第１入力パラメータとして、移動局ＭＳからスレーブ・ユニットＳＵの対応するアンテナ・システムへの無線リンク上でアップリンク無線周波数信号に使用されるトランスポート・フォーマットを使用することができる。たとえば、より低い符号レートを有するトランスポート・フォーマットが、マスタ・ユニットＭＵによって選択される場合に、事前に定義するアルゴリズムは、より高い符号レートを有するトランスポート・フォーマットが選択される場合と比較して、より小さいＳＩＮＲしきい値ＳＩＮＲ＿ｔｈｒｅｓｈｏｌｄを決定することができる。
【００６８】
それに加えてまたはその代わりに、事前に定義するアルゴリズムは、第２入力パラメータとして、スレーブ・ユニットＳＵからマスタ・ユニットＭＵへの対応する伝送経路ＢＳ１−Ｌ１、ＢＳ１−Ｌ２、Ｌ、ＲＮＣ−Ｌ１、ＲＮＣ−Ｌ２上の未使用の伝送リソースを表す、たとえばＧビット／ｓ（Ｇビット／ｓ＝ギガビット毎秒）単位の空きリソース値ＦＲＶを使用することができる。たとえば、空きリソース値がＦＲＶ＝５Ｇビット／ｓである場合には、空きリソース値がＦＲＶ＝７Ｇビット／ｓである場合と比較して、より大きいＳＩＮＲしきい値ＳＩＮＲ＿ｔｈｒｅｓｈｏｌｄが決定される。
【００６９】
それに加えてまたはその代わりに、事前に定義するアルゴリズムは、第３入力パラメータとして、特定のサービス・タイプに関してスレーブ・ユニットＳＵからマスタ・ユニットＭＵへの対応する伝送経路ＢＳ１−Ｌ１、ＢＳ１−Ｌ２、Ｌ、ＲＮＣ−Ｌ１、ＲＮＣ−Ｌ２上で必要な伝送リソースを表す、たとえばＧビット／ｓ（Ｇビット／ｓ＝ギガビット毎秒）単位の必要リソース値ＲＲＶを使用することができる。たとえば、必要リソース値がＲＲＶ＝１Ｇビット／ｓである場合には、必要リソース値がＲＲＶ＝１．５Ｇビット／ｓである場合と比較して、より小さいＳＩＮＲしきい値ＳＩＮＲ＿ｔｈｒｅｓｈｏｌｄが決定される。
【００７０】
それに加えてまたはその代わりに、事前に定義するアルゴリズムは、第４入力パラメータとして、スレーブ・ユニットＳＵで適用されるチャネル推定アルゴリズムの品質に関する情報を使用することができる。スレーブ・ユニットの異なる製造業者は、通常、異なる独自のチャネル推定アルゴリズムを実施する。たとえば、マスタ・ユニットＭＵで学習アルゴリズムを適用することによって、マスタ・ユニットＭＵは、チャネル推定アルゴリズムの品質に起因してアップリンク無線周波数信号内に含まれるデータを回復するのに、スレーブ・ユニットから受信されたすべてのアップリンク無線周波数信号を使用することができない条件を決定することができる。
【００７１】
それに加えてまたはその代わりに、事前に定義するアルゴリズムは、第５入力パラメータとして、協調的クラスタＣＣの全体的なカバレージ・エリア内の移動局ＭＳの位置に関する情報を使用することができる。移動局ＭＳの位置が、移動局ＭＳから協調的クラスタのスレーブ・ユニットＳＵへのアップリンク無線周波数信号ＲＦＳの見通し線送信を可能にする場合には、移動局ＭＳからスレーブ・ユニットＳＵへのアップリンク無線周波数信号ＲＦＳの非見通し線送信を有する場合と比較して、より高い事前定義の判断基準を、スレーブ・ユニットＳＵについて構成することができる。
【００７２】
それに加えてまたはその代わりに、事前に定義するアルゴリズムは、第６入力パラメータとして、協調的クラスタＣＣの全体的なカバレージ・エリア内での移動局ＭＳの速度に関する情報を使用することができる。移動局ＭＳの速度が、たとえば、歩行者の速度の範囲内である場合には、都市を通って運転される自動車の速度の範囲内の速度の場合と比較して、より高い事前定義の判断基準を、スレーブ・ユニットＳＵについて構成することができる。
【００７３】
代替案では、特性パラメータを、受信される無線周波数信号のサービス・タイプとすることができ、事前定義の判断基準を、事前定義の遅延クラスとすることができる。バックグラウンド・サービス（たとえば、ファイル・アップロード、電子メール送信）、ＶｏＩＰサービス、またはゲーミング・サービスなどの各サービス・タイプに、遅延クラスを割り当てることができ、この遅延クラスは、遅延クラスのグループのうちの１つである。遅延クラスのグループは、たとえば、移動局ＭＳからスレーブ・ユニットのうちの１つを介してマスタ・ユニットＭＵへの第１の事前定義の値未満の伝送時間遅れに関する第１遅延クラスＦＡＳＴ、第１の事前定義の値と第１の事前定義の値を超える第２の事前定義の値との間の伝送時間遅れに関する第２遅延クラスＡＶＥＲＡＧＥ、および第２の事前定義の値を超える伝送時間遅れに関する第３遅延クラスＳＬＯＷを含むことができる。バックグラウンド・サービスを、たとえば第３遅延クラスＳＬＯＷに割り当てることができ、ＶｏＩＰサービスを、たとえば第２遅延クラスＭＩＤＤＬＥに割り当てることができ、ゲーミング・サービスを、たとえば第１遅延クラスＦＡＳＴに割り当てることができる（表１を参照されたい）。
【００７４】
【表１】
0005715300.tif 000002
【００７５】
スレーブ・ユニットＳＵのマスタ・ユニットＭＵで遅延クラスのグループからの１つの遅延クラスを事前に定義する、事前に定義するアルゴリズムは、入力パラメータとして、移動局ＭＳからスレーブ・ユニットＳＵを介してマスタ・ユニットＭＵまでのアップリンク無線周波数信号の伝送時間遅れを使用することができる。
【００７６】
例示的に、図１によれば、マスタ・ユニットＭＵは、移動局ＭＳから第１スレーブ・ユニットＲＲＨ−ＳＵを介するマスタ・ユニットＢＳ−ＭＵへの平均伝送時間遅れが第１の事前定義の値未満なので、第１スレーブ・ユニットＲＲＨ−ＳＵの第１遅延クラスＦＡＳＴを事前に定義し、移動局ＭＳから第２スレーブ・ユニットＢＳ−ＳＵを介するマスタ・ユニットＢＳ−ＭＵへの平均伝送時間遅れが第２の事前定義の値を超えるので、第２スレーブ・ユニットＢＳ−ＳＵへの第３遅延クラスＳＬＯＷを事前に定義することができる（表２を参照されたい）。平均伝送時間遅れは、スレーブ・ユニットを含むネットワーク・ノードとマスタ・ユニットを含むネットワーク・ノードとの間の距離に依存する可能性があり、受信されたアップリンク無線周波数信号を処理しマスタ・ユニットを含むネットワーク・ノードに転送するための、スレーブ・ユニットを含むネットワーク・ノードでの処理負荷に依存する可能性がある。
【００７７】
【表２】
0005715300.tif 000003
【００７８】
代替案では、事前に定義するアルゴリズムは、さらに、事前定義の受信信号品質に関する事前に定義するアルゴリズムに従って、上で与えられる入力パラメータのうちの１つまたは複数を適用することができる。
【００７９】
次のステップＭ１／２では、マスタ・ユニットＭＵが、事前定義の判断基準に関係する情報ＩＮＦＯ−ＰＣをスレーブ・ユニットＳＵに送信する。例示的に、マスタ・ユニットＭＵは、ＳＩＮＲしきい値ＳＩＮＲ＿ｔｈｒｅｓｈｏｌｄをスレーブ・ユニットＳＵに送信することができる。
【００８０】
さらなるステップＭ１／３では、スレーブ・ユニットＳＵが、情報ＩＮＦＯ−ＰＣを受信する。ステップＭ１／１からＭ１／３を、無線アクセス・ネットワークＲＡＮ１と移動局ＲＡＮ１−ＭＳとの間の通信または無線アクセス・ネットワークＲＡＮ２と移動局ＲＡＮ２−ＭＳとの間の何らかの通信が行われる前に実行することができる。これは、何らかのアップリンク無線周波数信号がスレーブ・ユニットＳＵを介して受信されるか、マスタ・ユニットＢＳ−ＭＵを含む基地局ＲＡＮ１−ＢＳ１などのネットワーク・ノードに割り当てられ、直接に接続されたアンテナ・システムを介してマスタ・ユニットＭＵで直接ように受信される前に、判断基準を、事前に定義するアルゴリズムを使用する、上で説明された予測によって事前に定義できることを意味する。
【００８１】
次のステップＭ１／４では、マスタ・ユニットＭＵが、モバイルから発するサービス要求または着信音声呼（単純化のために図３には図示せず）などの移動局ＭＳに関するモバイルで終端するサービス要求を移動局ＭＳから受信した場合に、マスタ・ユニットＭＵは、移動局ＭＳから協調的クラスタＣＣへの無線周波数信号の送信に関するアップリンク無線リソースに関して判断することができる。アップリンク無線リソースは、たとえば、３ＧＰＰ  ＬＴＥで適用されるものなど、１ｍｓの長さの時間および１２個の隣接周波数副搬送波のグループのリソース・ユニット（３ＧＰＰ  ＬＴＥの２つのＰＲＢすなわち物理リソース・ブロック）とすることができる。周波数ホッピングが適用される場合には、１２個の隣接周波数副搬送波のさらなるグループへの周波数切替が、１ｍｓの長さの時間から約０．５ｍｓ（リソース・ユニットの時間の長さの約半分後）後に適用される。
【００８２】
さらなるステップＭ１／５では、マスタ・ユニットＭＵは、１つのアップリンク・グラントＵＧ１を移動局ＭＳに送信する。アップリンク・グラントは、移動局ＭＳでアップリンク無線周波数信号を符号化する符号レート、移動局ＭＳでアップリンク無線周波数信号を変調する変調のタイプ、およびアップリンク無線周波数信号の送信に関して移動局ＭＳによって使用される周波数副搬送波の集合などの情報を含む。
【００８３】
次のステップＭ１／６では、移動局ＭＳが、マスタ・ユニットＭＵからアップリンク・グラントＵＧ１を受信する。
【００８４】
好ましくはステップＭ１／５と並列に適用できるさらなるステップＭ１／７では、マスタ・ユニットＭＵが、スケジューリング情報ＳＣＨＥＤ−ＩＮＦＯ−ＭＳをスレーブ・ユニットＳＵに送信する。スケジューリング情報ＳＣＨＥＤ−ＩＮＦＯ−ＭＳは、アップリンク・グラントＵＧ１内と比較して同一の情報を含むことができ、さらに、移動局ＭＳによって適用されるＣＡＺＡＣ（一定振幅ゼロ自動相関）シーケンスまたはいわゆるＺａｄｏｆｆ−Ｃｈｕシーケンスに関する情報を含むことができる。ＣＡＺＡＣシーケンスは、移動局ＭＳから協調的クラスタＣＣへのアップリンク無線周波数信号内のアップリンク・データと同時に送信されるアップリンク・パイロットに適用される。スケジューリング情報ＳＣＨＥＤ−ＩＮＦＯ−ＭＳは、スレーブ・ユニットＳＵが、アップリンク周波数信号をどの周波数範囲内で検出できるのか、およびどのＣＡＺＡＣシーケンスがアップリンク・パイロットに適用されるのかを識別することを可能にする。スケジューリング情報ＳＣＨＥＤ−ＩＮＦＯ−ＭＳは、さらに、移動局ＭＳで動作するサービスのサービス・タイプに依存する割り当てられた遅延クラスの情報を含むことができる。
【００８５】
次のステップＭ１／８では、スレーブ・ユニットＳＵが、マスタ・ユニットＭＵからスケジューリング情報ＳＣＨＥＤ−ＩＮＦＯ−ＭＳを受信する。
【００８６】
代替案では、スケジューリング情報ＳＣＨＥＤ−ＩＮＦＯ−ＭＳの情報要素を、１つまたは複数のアップリンク・グラントＵＧ１、ＵＧ２、ＵＧ３に追加することができ、１つまたは複数のアップリンク・グラントＵＧ１、ＵＧ２、ＵＧ３は、スレーブ・ユニットＳＵによって移動局ＭＳに転送されるだけではなく、受信された無線周波数信号のどれがどの移動局に属するのかを識別する情報要素がスレーブ・ユニットＳＵで抽出され、格納される形で、スレーブ・ユニットＳＵで処理されもする。
【００８７】
さらなる代替案では、事前定義の判断基準に関係する情報ＩＮＦＯ−ＰＣとスケジューリング情報ＳＣＨＥＤ−ＩＮＦＯ−ＭＳとを、マスタ・ユニットＭＵからスレーブ・ユニットＳＵへ単一のメッセージ内で送信することができる。
【００８８】
次のステップＭ１／９では、移動局ＭＳが、スレーブ・ユニットＳＵを含む第２ネットワーク・ノードＮＮ２にアップリンク無線周波数信号ＲＦＳを送信する。アップリンク無線周波数信号は、複数の情報ビット、ＣＲＣビット（ＣＲＣ＝巡回冗長検査）、およびパリティ・ビットのデータ・ユニットを含む。さらなるステップＭ１／１０では、スレーブ・ユニットＳＵを含む第２ネットワーク・ノードＮＮ２が、割り当てられ接続されたアンテナ・システムを介してアップリンク無線周波数信号ＲＦＳを受信する（たとえば、第１ＲＲＨ  ＲＲＨ１が、第２アンテナ・システムＲＲＨ１−ＡＳを介して移動局ＲＡＮ１−ＭＳからアップリンク無線周波数信号を受信する、図１を参照されたい）。
【００８９】
次のステップＭ１／１１では、スレーブ・ユニットＳＵを含む第２ネットワーク・ノードＮＮ２の受信機が、スケジューリング情報ＳＣＨＥＤ−ＩＮＦＯ−ＭＳを使用することによってアップリンク無線周波数信号ＲＦＳを識別し、受信されたアップリンク無線周波数信号ＲＦＳをＦＰＧＡ（ＦＰＧＡ＝フィールド・プログラマブル・ゲート・アレイ）のメモリ要素などのメモリに格納することができる。
【００９０】
好ましくはステップＭ１／１１と並列に実行できるさらなるステップＭ１／１２では、スレーブＳＩＮＲ測定値ＳＩＮＲ＿ｓｌａｖｅ＿ｍｅａｓｕｒｅなどの受信されたアップリンク無線周波数信号ＲＦＳの特性パラメータの値を、特性パラメータがＳＩＮＲである場合に、決定することができる。スレーブＳＩＮＲ測定値ＳＩＮＲ＿ｓｌａｖｅ＿ｍｅａｓｕｒｅを、たとえば、ＭＭＳＥ受信機（ＭＭＳＥ＝最小平均二乗誤差）などの第１ＲＲＨ  ＲＲＨ１の受信機の共通のチャネル推定アルゴリズムによって決定することができる。
【００９１】
次のステップＭ１／１３では、スレーブ・ユニットＳＵが、受信されたアップリンク無線周波数信号ＲＦＳの特性パラメータが事前定義の判断基準を満足するかどうかを検証する。
【００９２】
事前定義の判断基準が、事前定義の受信信号品質である場合には、例示的に、スレーブ・ユニットＳＵは、スレーブＳＩＮＲ測定値ＳＩＮＲ＿ｓｌａｖｅ＿ｍｅａｓｕｒｅを、マスタ・ユニットＭＵによって提供されるＳＩＮＲしきい値ＳＩＮＲ＿ｔｈｒｅｓｈｏｌｄと比較する。
【００９３】
スレーブＳＩＮＲ測定値ＳＩＮＲ＿ｓｌａｖｅ＿ｍｅａｓｕｒｅが、ＳＩＮＲしきい値ＳＩＮＲ＿ｔｈｒｅｓｈｏｌｄ以上である場合には、方法ＭＥＴ１は、さらなるステップＭ１／９に継続することができる。
【００９４】
スレーブＳＩＮＲ測定値ＳＩＮＲ＿ｓｌａｖｅ＿ｍｅａｓｕｒｅが、ＳＩＮＲしきい値ＳＩＮＲ＿ｔｈｒｅｓｈｏｌｄより小さい場合には、受信されたアップリンク無線周波数信号ＲＦＳは、マスタ・ユニットＭＵに転送されず、方法ＭＥＴ１は、さらなるアップリンク無線周波数信号についてステップＭ１／９からＭ１／１３を繰り返すことによって継続することができる。
【００９５】
事前定義の判断基準が、受信されたアップリンク無線周波数信号の事前定義の遅延クラスである場合には、スレーブ・ユニットは、受信された無線周波数信号ＲＦＳをマスタ・ユニットＭＵに転送すべきなのか、あるいは受信された無線周波数信号ＲＦＳをスレーブ・ユニットＳＵで破棄すべきなのかの検証のために、たとえば次の例示的なルックアップ・テーブル３を適用することができる。
【００９６】
【表３】
0005715300.tif 000004
＃１  割り当てられた遅延クラス
＃２  事前定義の遅延クラス
＃３  転送（Ｆ）または破棄（Ｄ）
＃４  表３
【００９７】
第１の例に従って、移動局ＭＳのサービスの割り当てられる遅延クラスが、ＦＡＳＴと等しく、スレーブ・ユニットＳＵが、ＳＬＯＷと等しい事前に定義された遅延クラスを構成した場合には、スレーブ・ユニットＳＵは、受信されたアップリンク無線周波数信号ＲＦＳを破棄すると判断する。第２の例に従って、割り当てられる遅延クラスが、ＭＩＤＤＬＥと等しく、スレーブ・ユニットＳＵが、ＭＩＤＤＬＥと等しい事前に定義された遅延クラスを構成した場合には、スレーブ・ユニットＳＵは、無線周波数信号ＲＦＳをマスタ・ユニットＭＵに転送すると判断する。第３の例に従って、割り当てられる遅延クラスが、ＳＬＯＷと等しく、スレーブ・ユニットＳＵが、ＦＡＳＴと等しい事前に定義された遅延クラスを構成した場合には、スレーブ・ユニットＳＵは、無線周波数信号ＲＦＳをマスタ・ユニットＭＵに転送すると判断する。
【００９８】
さらなるステップＭ１／１４では、スレーブ・ユニットＳＵは、ステップＭ１／１３によって検証された事前定義の判断基準の満足に応じて、第２ネットワーク・ノードＮＮ２からマスタ・ユニットＭＵを含む第１ネットワーク・ノードＮＮ１への受信されたアップリンク無線周波数信号ＲＦＳの転送を制御する。
【００９９】
事前定義の判断基準が満足される場合には、受信されたアップリンク無線周波数信号ＲＦＳは、マスタ・ユニットＭＵを含むネットワーク・ノードに転送され、事前定義の判断基準が満足されない場合には、受信されたアップリンク無線周波数信号ＲＦＳは、スレーブ・ユニットＳＵを含むネットワーク・ノードで破棄される。これによって、格納されるアップリンク無線周波数信号ＲＦＳを、メモリから照会することができる。
【０１００】
無線周波数信号ＲＦＳを、アンテナ要素ごとのＦＦＴ（ＦＦＴ＝高速フーリエ変換）の後に、周波数領域におけるＩ／Ｑサンプルという共通の形で転送することができる。事前定義の判断基準を満足するアンテナ要素のＩ／Ｑサンプルだけが転送される。代替案では、無線周波数信号ＲＦＳを、軟ビットを生成するアンテナ・システムを含むネットワーク・ノードでの受信されたアップリンク無線周波数信号の前処理の後に、１つまたは複数のアンテナ要素を含むアンテナ・システムごとの軟ビットという共通の形で転送することができる。
【０１０１】
転送されるＩ／Ｑサンプルまたは転送される軟ビットは、ＰＲＢ番号の範囲、フレーム、およびサブフレーム番号などのＩ／Ｑサンプルを識別する情報と共に、情報ヘッダを含むことができる。
【０１０２】
次のステップＭ１／１５では、マスタ・ユニットＭＵを含む第２ネットワークＮＮ２が、転送されたアップリンク無線周波数信号ＲＦＳを受信する。
【０１０３】
さらなるステップＭ１／１６では、第２ネットワーク・ノードＮＮ２のＭＭＳＥ受信器が、特定の移動局サービスに属するデータ・ユニットの情報ビットを回復するために、マスタ・ユニットＭＵに割り当てられたアンテナ・システムから直接に入手されたおよび／またはさらなるスレーブ・ユニットから入手された１つまたは複数のさらなるアップリンク無線周波数信号との転送されたアップリンク無線周波数信号ＲＦＳのＭＭＳＥ合成などの共通の重ね合せを実行することができる。
【０１０４】
図４に、本発明のさらなる実施形態によるマルチポイント受信の方法ＭＥＴ２のブロック図を概略的に示す。図３の要素に対応する図４の要素は、同一の符号によって指定されている。
【０１０５】
方法ＭＥＴ１のステップＭ１／２からＭ１／１６に加えて、方法ＭＥＴ２は、さらに、ステップＭ２／１からＭ２／７を含むことができる。
【０１０６】
さらなるステップＭ２／１では、事前定義の判断基準のオフセット値を、マスタ・ユニットＭＵで、好ましくはスレーブ・ユニットＳＵでも、事前に定義することができる。オフセット値は、スレーブ・ユニットごとに個別に決定することができ、あるいは、マスタ・ユニットＭＵによって制御される各スレーブ・ユニットについて等しく決定することができる。
【０１０７】
さらなる代替案では、オフセット値を、マスタ・ユニットＭＵで事前に定義し、構成するのみとすることができ、あるいは、オフセット値を、マスタ・ユニットＭＵで事前に定義されるのみとすることができ、マスタ・ユニットＭＵからスレーブ・ユニットＳＵに送信することができ、あるいは、オフセット値を、Ｏ＆Ｍネットワーク・ノードで事前に定義することができ、Ｏ＆Ｍネットワーク・ノードからマスタ・ユニットＭＵにおよび好ましくはスレーブ・ユニットＳＵにも送信することができる。
【０１０８】
事前定義の判断基準が、ＳＩＮＲしきい値ＳＩＮＲ＿ｔｈｒｅｓｈｏｌｄによって提供される事前定義の受信信号品質である場合に、オフセット値を、たとえば、ｄＢ単位のＳＩＮＲ値ＳＩＮＲ＿ｗｉｎｄｏｗとすることができる。
【０１０９】
図４に示された２つのドットは、ステップＭ１／５からＭ１／８を表し、これらのステップは、単純化のために図４には図示されていない。
【０１１０】
ステップＭ１／９、Ｍ１／１０では、まず、第１アップリンク無線周波数信号ＲＦＳ１が、移動局ＭＳからスレーブ・ユニットＳＵに送信され、スレーブ・ユニットＳＵで受信される。
【０１１１】
次のステップＭ２／２では、第２ネットワーク・ノードＮＮ２が、直接に割り当てられ同一位置に配置されたアンテナ・システムを介して第１アップリンク無線周波数信号ＲＦＳ１を受信する（たとえば、マスタ・ユニットＢＳ−ＭＵが、基地局ＲＡＮ１−ＢＳ１に属する第１アンテナ・システムＢＳ１−ＡＳを介して移動局ＲＡＮ１−ＭＳから第１アップリンク無線周波数信号ＲＦＳ１を受信する。図１を参照されたい）。
【０１１２】
さらなるステップＭ２／３では、マスタ・ユニットＭＵが、好ましくは、受信された第１アップリンク無線周波数信号ＲＦＳ１をＦＰＧＡのメモリ要素などのメモリに格納することができる。
【０１１３】
次のステップＭ２／４では、マスタＳＩＮＲ測定値ＳＩＮＲ＿ｍａｓｔｅｒ＿ｍｅａｓｕｒｅなどの受信された第１アップリンク無線周波数信号ＲＦＳ１の特性パラメータの値を、特性パラメータがＳＩＮＲである場合に、第１ネットワーク・ノードＮＮ１によって決定することができる。これは、特性パラメータの値が、第１ネットワーク・ノードＮＮ１で直接に受信されたアップリンク無線周波数信号ＲＦＳ１だけを使用することによって、マスタ・ユニットＭＵでの第１アプリンク無線周波数信号の何らかの重ね合せなしで決定されることを意味する。受信された第１アップリンク無線周波数信号ＲＦＳ１の特性パラメータの値は、移動局ＲＡＮ１−ＭＳと第１アンテナ・システムＢＳ１−ＡＳとの間の距離（図１を参照されたい）に依存し、第１アップリンク無線周波数信号ＲＦＳ１の伝送特性に依存する。伝送特性は、たとえば、移動局ＭＳのアンテナ・システムのアンテナ要素の個数によって影響され、これによって、移動局ＭＳが向けられた形または向けられない形で第１アップリンク無線周波数信号ＲＦＳ１を送信できるかどうかに影響した。
【０１１４】
マスタＳＩＮＲ測定値ＳＩＮＲ＿ｍａｓｔｅｒ＿ｍｅａｓｕｒｅを、たとえば、ＭＭＳＥ受信機などの第１ネットワーク・ノードＮＮ１の受信機（図１を参照されたい）の共通のチャネル推定アルゴリズムによって入手することができる。
【０１１５】
さらなるオプションのステップＭ２／５では、マスタ・ユニットＭＵが、たとえば次の式を使用することによって、ＳＩＮＲしきい値ＳＩＮＲ＿ｔｈｒｅｓｈｏｌｄによって提供される事前定義の受信信号品質などの事前定義の判断基準を決定することができる。
ＳＩＮＲ＿ｔｈｒｅｓｈｏｌｄ＝ＳＩＮＲ＿ｍａｓｔｅｒ＿ｍｅａｓｕｒｅ−ＳＩＮＲ＿ｗｉｎｄｏｗ    （１）
ステップＭ１／２では、マスタ・ユニットＭＵが、ＳＩＮＲしきい値ＳＩＮＲ＿ｔｈｒｅｓｈｏｌｄなどの事前定義の判断基準の情報ＩＮＦＯ−ＰＣまたはマスタＳＩＮＲ測定値ＳＩＮＲ＿ｍａｓｔｅｒ＿ｍｅａｓｕｒｅなどの受信された第１アップリンク無線周波数信号ＲＦＳ１の特性パラメータの値の情報ＩＮＦＯ−ＶＡＬ−ＣＰのいずれかをスレーブ・ユニットＳＵに送信する。
【０１１６】
さらなるステップＭ２／６では、スレーブ・ユニットＳＵが、受信された第１アップリンク無線周波数信号ＲＦＳ１の特性パラメータの値の情報ＩＮＦＯ−ＶＡＬ−ＣＰを受信した場合に、スレーブ・ユニットＳＵは、受信された第１アップリンク無線周波数信号ＲＦＳ１の特性パラメータの値に基づき、たとえば式（１）と同一の式を使用することによってスレーブ・ユニットＳＵで構成されたオフセット値に基づいて、事前定義の判断基準を決定する。
【０１１７】
次に、第１アップリンク無線周波数信号ＲＦＳ１のさらなる処理が、ステップＭ１／１３からＭ１／１６によって、方法ＭＥＴ１に類似して実行される。
【０１１８】
ステップＭ１／９を繰り返すことによって、第２アップリンク無線周波数信号ＲＦＳ２が、移動局ＭＳからスレーブ・ユニットＳＵおよびマスタ・ユニットＭＵのネットワーク・ノードＮＮ１、ＮＮ２に送信される場合に、方法ＭＥＴ２は、ステップＭ１／１０およびＭ１／１１を繰り返すことによってスレーブ・ユニットＳＵを含む第２ネットワーク・ノードＮＮ２で第２アップリンク無線周波数信号ＲＦＳ２を受信し、格納することと、ステップＭ２／２およびＭ２／３を繰り返すことによってマスタ・ユニットＭＵを含む第１ネットワーク・ノードＮＮ１で第２アップリンク無線周波数信号ＲＦＳ２を受信し、格納することとによって、第１の代替案に従って継続され得る。次に、第１の代替案に従って、スレーブ・ユニットＳＵは、第１の受信されたアップリンク無線周波数信号ＲＦＳ１について適用されるものと同一の事前定義の判断基準を用いて第２の受信されたアップリンク無線周波数信号ＲＦＳ２を処理することができ、マスタ・ユニットＭＵは、図４に示されているように第２の受信されたアップリンク無線周波数信号ＲＦＳ２について適用される第２の事前定義の判断基準を決定しないものとすることができる。
【０１１９】
第２代替実施形態（図４には図示せず）によれば、ステップＭ１／６からＭ１／７およびＭ２／２からＭ２／６を第２の受信されたアップリンク無線周波数信号ＲＦＳ２について繰り返すことができる。これは、第１の代替実施形態とは逆に、事前定義の判断基準が、第２の受信されたアップリンク無線周波数信号ＲＦＳ２の処理のために再利用されないことと、マスタ・ユニットＭＵが、受信された第２アップリンク無線周波数信号ＲＦＳ２の特性パラメータの第２値を決定することと、スレーブ・ユニットＳＵで決定され、スレーブ・ユニットＳＵで受信された第２アップリンク無線周波数信号ＲＦＳから入手された特性パラメータの第２値が第２の事前定義の判断基準を満足するかどうかを、スレーブ・ユニットＳＵで、繰り返されるステップＭ１／１３で検証するために、受信された第２アップリンク無線周波数信号ＲＦＳ２の特性パラメータの第２値または受信された第２アップリンク無線周波数信号ＲＦＳ２の特性パラメータの第２値に基づく第２の事前定義の判断基準が、マスタ・ユニットＭＵからスレーブ・ユニットＳＵに送信されることとを意味する。第２代替実施形態は、事前定義の判断基準を、移動局ＲＡＮ１−ＭＳと協調的クラスタＣＣとの間の無線リンク（図１を参照されたい）のすばやく変化するチャネル品質に継続的に適合させることを可能にする。
【０１２０】
図４の３つのドットは、ステップＭ１／１１からＭ１／１３を表し、これらのステップは、単純化のために図４には図示されていない。
【０１２１】
図５に、本発明のさらなる実施形態によるマルチポイント受信の方法ＭＥＴ３のブロック図を概略的に示す。図３および図４の要素に対応する図５の要素は、同一の符号によって指定されている。
【０１２２】
方法ＭＥＴ１のステップＭ１／１、Ｍ１／４からＭ１／１２、およびＭ１／１４からＭ１／１６と、方法ＭＥＴ２のステップＭ２／２およびＭ２／３に加えて、方法ＭＥＴ３は、さらに、ステップＭ３／１からＭ３／５を含むことができる。
【０１２３】
図５の２つのドットは、ステップＭ１／５からＭ１／８を表し、これらのステップは、単純化のために図５には図示されていない。
【０１２４】
ステップＭ１／１２の後のさらなるステップＭ３／１では、スレーブ・ユニットＳＵが、スレーブ・ユニットＳＵで受信されたアップリンク無線周波数信号ＲＦＳの特性パラメータの値などの受信品質の情報ＩＮＦＯ−ＲＣをマスタ・ユニットＭＵに送信する。受信品質の情報ＩＮＦＯ−ＲＣは、たとえば、特性パラメータがＳＩＮＲである場合に、スレーブＳＩＮＲ測定値ＳＩＮＲ＿ｓｌａｖｅ＿ｍｅａｓｕｒｅとすることができる。
【０１２５】
次のステップＭ３／２では、マスタ・ユニットＭＵが、受信品質の情報ＩＮＦＯ−ＲＣを受信する。
【０１２６】
さらなるステップＭ３／３では、スレーブ・ユニットＳＵを介する第１アップリンク無線周波数信号の受信が、第１アップリンク無線周波数信号ＲＦＳ１によって送信された情報（たとえば、データ・ブロック）を回復するために必要であるかどうかを、マスタ・ユニットＭＵが検証する。
【０１２７】
そのような検証は、たとえば、次のサブステップによって行うことができる。
【０１２８】
スレーブ・ユニットのうちの１つを介して受信されたのではなく、マスタ・ユニットＭＵで直接に受信された第１アップリンク無線周波数信号の受信品質が、既に、第１アップリンク無線周波数信号ＲＦＳ１によって送信された情報をエラーなしで回復するのに十分である場合には、スレーブ・ユニットのうちの１つを介して受信されたさらなる第１アップリンク無線周波数信号との重ね合せは、不要である。
【０１２９】
スレーブ・ユニットのうちの１つを介して受信されたのではなく、マスタ・ユニットＭＵで直接に受信された第１アップリンク無線周波数信号の受信品質が、第１アップリンク無線周波数信号ＲＦＳ１によって送信された情報をエラーなしで回復するのに十分ではない場合には、マスタ・ユニットＭＵは、スレーブ・ユニットでの第１アップリンク無線周波数信号ＲＦＳ１の受信品質のランキングを実行することができ、マスタ・ユニットＭＵは、ランキングの最高の受信品質を有するスレーブ・ユニットのうちの１つまたはサブセットだけを選択することができる。１つまたは複数のスレーブ・ユニットの選択は、第１アップリンク無線周波数信号ＲＦＳ１によって送信された情報をエラーなしで回復するのに必要な欠けている受信電力に依存するものとすることができる。
【０１３０】
次では、スレーブ・ユニットＳＵの受信品質が、マスタ・ユニットＭＵによって制御されるスレーブ・ユニットから受信されたすべての受信品質のうちの最高受信品質の１つとしてマスタ・ユニットＭＵによって選択され、識別されたと仮定する。
【０１３１】
次のステップＭ３／４では、マスタ・ユニットＭＵが、スレーブ・ユニットＳＵで受信され、格納された第１アップリンク無線周波数信号ＲＦＳ１をマスタ・ユニットＭＵに送信する要求ＲＥＱをスレーブ・ユニットＳＵに送信する。さらなるステップＭ３／５では、スレーブ・ユニットＳＵが、マスタ・ユニットＭＵから要求ＲＥＱを受信する。
【０１３２】
方法ＭＥＴ３は、ステップＭ１／１４からＭ１／１６を用いて継続される。
【０１３３】
方法ＭＥＴ３のすべてのステップを、第２アップリンク無線周波数信号ＲＦＳ２について図５に示されているものなど、移動局ＭＳから送信され、マスタ・ユニットＭＵおよびスレーブ・ユニットＳＵで受信されたすべてのアップリンク無線周波数信号について繰り返すことができる。
【０１３４】
図５内でステップＭ２／２とＭ１／１５との間にマスタ・ユニットＭＵに従って示された３つのドットは、ステップＭ２／３、Ｍ３／２、Ｍ３／３、およびＭ３／４を表し、これらのステップは、第２の受信されたアップリンク無線周波数信号ＲＦＳ２を処理するために繰り返され、単純化のために図５には図示されていない。
【０１３５】
図５内でステップＭ１／１０とＭ１／１４との間にスレーブ・ユニットＳＵに従って示された３つのドットは、ステップＭ１／１１、Ｍ１／１１を表し、これらのステップは、第２の受信されたアップリンク無線周波数信号ＲＦＳ２を処理するために繰り返され、単純化のために図５には図示されていない。
【０１３６】
３つすべての例示的な方法ＭＥＴ１、ＭＥＴ２、およびＭＥＴ３に関して、事前定義の判断基準は、移動局ＭＳから受信されたアップリンク無線周波数信号の全体的な受信品質に応じて、および／またはアップリンク無線周波数信号に関する伝送時間遅れに関して移動局ＭＳで動作するサービスのサービス・タイプに応じて選択される。これは、事前定義の判断基準を、無線周波数信号を送信する移動局ごとに、および無線周波数信号を受信するスレーブ・ユニットごとに、特に選択できることを意味する。
【０１３７】
方法ＭＥＴ１、ＭＥＴ２、およびＭＥＴ３を、複数のアンテナ・システムを使用するマルチポイント受信に使用することができ、あるいは、単一のアンテナ・システムを使用するシングルポイント受信に使用することができる。両方のケースで、受信されたアップリンク無線周波数信号の特性パラメータが、マルチポイント受信のすべてのアンテナ・システムでまたはシングルポイント受信の単一のアンテナ・システムで、事前定義の判断基準を満足しない場合には、マスタ・ユニットは、アップリンク無線周波数信号に含まれるデータ・ユニットを回復するためのすべてのアップリンク無線周波数信号を受信するのではなく、無線通信システムは、データ・ユニットを含むさらなるアップリンク無線周波数信号を送信することによるそのデータ・ユニットの再送信を要求することができる。
【０１３８】
図６に、マスタ・ユニットＭＵの機能ブロック図を示す。マスタ・ユニットＭＵを、たとえば、基地局のまたは無線ネットワーク制御装置の基地局インターフェースの、ベースバンド処理ブロックの一部とすることができる。マスタ・ユニットＭＵは、アップリンク無線周波数信号の特性パラメータの事前定義の判断基準を決定し、好ましくは事前定義の判断基準のオフセット値を決定し、好ましくはアップリンク無線周波数信号の特性パラメータの値を決定する、決定するブロックＭＵ−ＤＥＴ−Ｂを含むことができる。マスタ・ユニットＭＵは、さらに、事前定義の判断基準自体または事前定義の判断基準のオフセット値などの事前定義の判断基準に関係する情報ＩＮＦＯ−ＰＣ、好ましくはスケジューリング情報ＳＣＨＥＤ−ＩＮＦＯ−ＭＳ、好ましくは受信された第１アップリンク無線周波数信号の特性パラメータの値の情報ＩＮＦＯ−ＶＡＬ−ＣＰ、および好ましくは要求ＲＥＱをスレーブ・ユニットＳＵに提供する外部通信のためのインターフェースＭＵ−ＩＦを含む。インターフェースＭＵ−ＩＦは、さらに、スレーブ・ユニットＳＵの受動アンテナ・アレイのスレーブＳＩＮＲ測定値ＳＩＮＲ＿ｓｌａｖｅ＿ｍｅａｓｕｒｅまたはスレーブ・ユニットＳＵの能動アンテナ・アレイの第１アンテナ要素の第１スレーブＳＩＮＲ測定値ＳＩＮＲ１＿ｓｌａｖｅ＿ｍｅａｓｕｒｅおよびスレーブ・ユニットＳＵの能動アンテナ・アレイの第２アンテナ要素の第２スレーブＳＩＮＲ測定値ＳＩＮＲ２＿ｓｌａｖｅ＿ｍｅａｓｕｒｅなど、スレーブ・ユニットＳＵで受信されたアップリンク無線周波数信号ＲＦＳの受信品質の情報ＩＮＦＯ−ＲＣを受信するのに使用される。
【０１３９】
マスタ・ユニットＭＵは、さらに、スレーブ・ユニットＳＵを介する第１アップリンク無線周波数信号の受信が第１アップリンク無線周波数信号ＲＦＳ１によって送信された情報（たとえば、データ・ブロック）の回復に必要であるかどうかを検証する検証ブロックＭＵ−ＶＥＲ−Ｂを含むことができる。マスタ・ユニットＭＵは、さらに、スレーブ・ユニットＳＵに関係し、移動局ＭＳに関係し、好ましくは移動局ＭＳで動作するサービス・タイプに関係する事前定義の判断基準を格納し、好ましくはスレーブ・ユニットＳＵに関係し、移動局ＭＳに関係する事前定義の判断基準のオフセット値を格納し、好ましくはマスタ・ユニットＭＵを含むネットワーク・ノードに接続されたアンテナ・システムを介して直接に受信されるアップリンク無線周波数信号を格納するメモリ・ブロックＭＵ−ＭＥＭ−Ｂを含むことができる。
【０１４０】
図７に、スレーブ・ユニットＳＵの機能ブロック図を示す。スレーブ・ユニットＳＵを、たとえば、基地局のベースバンド処理ブロックの一部または、基地局のベースバンド処理ブロックからＲＲＨのベースバンド処理ブロックにシフトされたベースバンド機能性を有するＲＲＨのベースバンド処理ブロックの一部とすることができる。
【０１４１】
スレーブ・ユニットＳＵは、受信されたアップリンク無線周波数信号の特性パラメータが事前定義の判断基準を満足するかどうか、および受信されたアップリンク無線周波数信号をマスタ・ユニットＭＵに送信しなければならないまたは受信されたアップリンク無線周波数信号を破棄しなければならないのどちらであるのかを検証する検証ブロックＳＵ−ＶＥＲ−Ｂを含むことができる。
【０１４２】
スレーブ・ユニットＳＵは、さらに、１つまたは複数のアンテナ要素を含む受動アンテナ・システムで受信されたアップリンク無線周波数信号を転送するためにスレーブ・ユニットＳＵのネットワーク・ノードの転送ユニットへの単一の制御コマンドＣＯＭＭＡＮＤを使用することによって、またはたとえば能動アンテナ・アレイの第１アンテナ要素で受信されたアップリンク無線周波数信号を転送するための第１制御コマンドＣＯＭＭＡＮＤ１および能動アンテナ・アレイの第２アンテナ要素で受信されたアップリンク無線周波数信号を転送するための第２制御コマンドＣＯＭＭＡＮＤ２を使用することによって、マスタ・ユニットＭＵを含むネットワーク・ノードへの受信されたアップリンク無線周波数信号の転送を制御し、好ましくは、スレーブ・ユニットＳＵの受動アンテナ・アレイのスレーブＳＩＮＲ測定値ＳＩＮＲ＿ｓｌａｖｅ＿ｍｅａｓｕｒｅまたはスレーブ・ユニットＳＵの能動アンテナ・アレイの第１アンテナ要素の第１スレーブＳＩＮＲ測定値ＳＩＮＲ１＿ｓｌａｖｅ＿ｍｅａｓｕｒｅおよびスレーブ・ユニットＳＵの能動アンテナ・アレイの第２アンテナ要素の第２スレーブＳＩＮＲ測定値ＳＩＮＲ２＿ｓｌａｖｅ＿ｍｅａｓｕｒｅなどのスレーブ・ユニットＳＵで受信されたアップリンク無線周波数信号ＲＦＳの受信品質の情報ＩＮＦＯ−ＲＣを提供する、外部通信のためのインターフェースＳＵ−ＩＦを含むことができる。
【０１４３】
インターフェースＳＵ−ＩＦは、さらに、事前定義の判断基準自体または事前定義の判断基準のオフセット値などの事前定義の判断基準に関係する情報ＩＮＦＯ−ＰＣを受信し、好ましくはスケジューリング情報ＳＣＨＥＤ−ＩＮＦＯ−ＭＳを受信し、好ましくは受信された第１アップリンク無線周波数信号の特性パラメータの値の情報ＩＮＦＯ−ＶＡＬ−ＣＰを受信し、好ましくは要求ＲＥＱを受信するのに使用される。
【０１４４】
スレーブ・ユニットＳＵは、さらに、受信されたアップリンク無線周波数信号ＲＦＳの特性パラメータの値を決定する決定するブロックＳＵ−ＤＥＴ−Ｂを含むことができる。スレーブ・ユニットＳＵは、さらに、スレーブ・ユニットＳＵに関係し、移動局ＭＳに関係し、好ましくは移動局ＭＳで動作するサービス・タイプに関係する事前定義の判断基準を格納し、好ましくは、スレーブ・ユニットＳＵに関係し、移動局ＭＳに関係する事前定義の判断基準のオフセット値を格納し、好ましくは、スレーブ・ユニットＳＵに割り当てられたアンテナ・システムを介して受信されたアップリンク無線周波数信号を格納する、メモリ・ブロックＳＵ−ＭＥＭ−Ｂを含むことができる。
【０１４５】
さらに、諸実施形態は、コンピュータ・プログラムがコンピュータまたはプロセッサ上で実行される時に上記方法ＭＥＴ１、ＭＥＴ２、ＭＥＴ３のステップの諸部分を実行するプログラム・コードを有するコンピュータ・プログラムを提供することができる。
【０１４６】
当業者は、さまざまな上で説明した方法ＭＥＴ１、ＭＥＴ２、ＭＥＴ３のステップを、プログラムされたコンピュータによって実行できることをたやすく認めるであろう。本明細書では、いくつかの実施形態は、プログラム・ストレージ・デバイス、たとえば、機械可読またはコンピュータ可読であり、機械実行可能な命令のプログラムまたはコンピュータ実行可能な命令のプログラムを符号化するディジタル・データ記憶媒体を包含することが意図されており、前記命令は、前記上で説明した方法のステップの一部またはすべてを実行する。プログラム・ストレージ・デバイスを、たとえば、ディジタル・メモリ、磁気ディスクおよび磁気テープなどの磁気記憶媒体、ハード・ドライブ、または光学的に読取可能なディジタル・データ記憶媒体とすることができる。諸実施形態は、上で説明した方法の前記ステップを実行するようにプログラムされたコンピュータを包含することも意図されている。
【０１４７】
この説明および図面は、単に、本発明の原理を示す。したがって、当業者が、本明細書で明示的に説明されず、図示されていないが、本発明の原理を具現化し、本発明の趣旨および範囲に含まれるさまざまな配置を考案できることを理解されたい。さらに、本明細書で列挙されるすべての例は、主に、当技術を促進するために本発明の原理および本発明人（１つまたは複数）によって寄与される概念を理解する際に読者を助けるという教育的目的だけのためのものであることが、明確に意図されており、そのような特に列挙された例および条件に限定するものではないものと解釈されるべきである。さらに、本発明の原理、態様、および実施形態ならびにその特定の例を列挙する本明細書のすべての言説は、その同等物を包含することが意図されている。
【０１４８】
「〜の手段」（ある機能を実行する）と表された機能ブロックは、それぞれある機能を実行するように適合された回路網を含む機能ブロックと理解されなければならない。したがって、「あるもののための手段」を、「あるもののために適合されまたはこれに適する手段」と理解することもできる。したがって、ある機能を実行するために適合された手段は、そのような手段が必ず前記機能を（所与の瞬間に）実行しつつあることを暗示しない。
【０１４９】
「手段」、「受信する手段」、「検証する手段」、「判定する手段」、「送信する手段」、「実行する手段」、「スケジューリングする手段」としてラベルを付けられたすべての機能ブロックを含む、図に示されたさまざまな要素の機能を、「受信機」、「ベリファイヤ」、「デターミナ」、「送信機」、「パフォーマまたはプロセッサ」、「スケジューラ」などの専用ハードウェアならびに適当なソフトウェアに関連してソフトウェアを実行することのできるハードウェアの使用を介して提供することができる。プロセッサによって提供される時に、機能を、単一の専用プロセッサによって、単一の共有されるプロセッサによって、またはいくつかが共有される可能性がある複数の個々のプロセッサによって、提供することができる。さらに、用語「プロセッサ」または「コントローラ」の明示的使用を、ソフトウェアを実行できるハードウェアを排他的に参照すると解釈してはならず、この明示的使用は、限定なしに、ディジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、および不揮発性ストレージを暗黙のうちに含むことができる。従来のおよび／またはカスタムの、他のハードウェアを含めることもできる。同様に、図に示されたすべてのスイッチは、概念的なものにすぎない。その機能を、プログラム論理の動作を介して、専用論理を介して、プログラム制御と専用論理との相互作用を介して、または手動でさえ実行することができ、特定の技法は、文脈からより具体的に理解されるように、実装者によって選択可能である。
【０１５０】
当業者は、本明細書のすべてのブロック図が、本発明の原理を具現化する例示的な回路網の概念的な図を表すことを理解するであろう。同様に、すべてのフロー・チャート、流れ図、状態遷移図、擬似コード、および類似物は、実質的にコンピュータ可読媒体内で表すことができ、したがってコンピュータまたはプロセッサが明示的に図示されているか否かに関わりなくそのようなコンピュータまたはプロセッサによって実行され得るさまざまなプロセスを表すことを理解されたい。
【図１】
0005715300.tif 000005
【図２】
0005715300.tif 000006
【図３】
0005715300.tif 000007
【図４】
0005715300.tif 000008
【図５】
0005715300.tif 000009
【図６】
0005715300.tif 000010
【図７】
0005715300.tif 000011